(57)【要約】【課題】本発明は絵の具を自動的に絞り出すパレットを開示した。【解決手段】本発明の絵の具を自動的に絞り出すパレットは本体を含み、前記本体の上部には蓋がスライドできるように設置され、前記蓋の下端面には前記本体と滑られるように連結された蓋溝が設置され、前記本体の中には押し入り溝が三つ設置され、すべての前記押し入り溝の上端壁には連通溝が設置され、前記連通溝の上端壁には絵の具溝が設置され、前記長ラックが下に移動する時には、前記Ｌ型ラックを上に移動連動させ、そして前記押し入り板を引き上げられ、本装置は絵の具を一度切りに加えるだけで、以降使うたびに絵筆で押せば、絵の具を絞り出せ、毎度絵の具を加えるときに絵の具をこぼし、洗いにくいという状況から免れる。【選択図】図１
2020179928.tif 000002
【特許請求の範囲】
【請求項１】
絵の具を自動的に絞り出すパレットであって、本体を含み、前記本体の上部には蓋がスライドできるように設置され、前記蓋の下端面には前記本体と滑られるように連結された蓋溝が設置され、前記本体の中には押し入り溝が三つ設置され、すべての前記押し入り溝の上端壁には連通溝が設置され、前記連通溝の上端壁には絵の具溝が設置され、前記絵の具溝と前記押し入り溝との間に絵の具パイプが連結され、前記絵の具溝の下端壁にはばね空間が左右対称に設置され、前記ばね空間の中にはばねスライドブロックが滑られるように連結され、前記ばねスライドブロックと前記ばね空間との間に復位ばねが連結され、前記ばねスライドブロックの上端には圧力板が固定的に設置され、前記絵の具溝の左右端壁にはストッパーが対称的に設置され、前記ストッパーは前記圧力板の位置を制限するために設置され、前記圧力板の下端面には前記連通溝と滑られるように連結された溝付ロッド  が固定的に設置され、前記溝付ロッドの中には空間  が設置され、前記空間の中には突きポールが滑られるように連結され、前記突きポールと前記空間の上端壁との間に強力ばねが連結され、前記強力ばねは前記復位ばねより弾力が強いであり、前記突きポールの下端には前記押し入り溝と滑られるように連結された押し入り板が固定的に設置され、前記押し入り溝の下端壁には加え空間が設置され、前記加え空間の右端壁には止め板スライド溝が設置され、前記止め板スライド溝の右端壁にはプーリ空間が設置され、前記プーリ空間の中には絵の具を加えられる制御装置が設置され、前記プーリ空間の上端壁には連結空間が設置され、前記連結空間の上端壁には駆動空間が設置され、前記駆動空間の上端には係入溝が設置され、前記係入溝と前記駆動空間の間には制御装置の運動を制御できる起動装置が設置され、前記蓋溝の上端壁には溝が三つ設置されておることを特徴とする絵の具を自動的に絞り出すパレット。
【請求項２】
前記制御装置は滑られるように止め板スライド溝の中に連結された止め板を含み、全ての前記プーリ空間の前後端壁にはプーリ軸が左右対称かつ転動できるように連結され、前記プーリ軸の後端にはベルトプーリーが固定的に設置され、対向した前記ベルトプーリーの間にはベルトが連結され、その中の左端の前記プーリ軸の前端には前記止め板と噛み合った第一ギアが固定的に設置され、右端の前記プーリ軸の前端には第二ギアが固定的に設置され、前記第一ギアは前記第二ギアより直径が長いであり、前記連結空間の中には長ラックが滑られるように連結され、前記長ラックの下端は前記第二ギアと噛み合っており、前記長ラックは下へ運動することで前記止め板を右へ引き開け、前記加え空間を開けられることを特徴とする請求項１に記載の絵の具を自動的に絞り出すパレット。
【請求項３】
前記起動装置は前記係入溝の中に滑られるように装着された押しボタンを含み、前記押しボタンと前記係入溝との間には対称ばねが左右対称に連結され、前記長ラックは前記押しボタンと固定的に連結され、前記駆動空間の前後端壁には横軸が転動できるように連結され、前記横軸の前端には前記長ラックと噛み合った第三ギアが固定的に設置され、前記横軸の後端には第四ギアが固定的に設置され、前記駆動空間の下端壁にはＬ型ラックが滑られるように連結され、前記Ｌ型ラックの下端は前記駆動空間の下端壁を貫き、前記押し入り溝押し入りの中に入り込んており、また前記押し入り溝の上端、右端壁、そして前後端壁と滑られるように連結され、前記押し入り板は前記Ｌ型ラックと滑られるように連結され、前記長ラックが下に移動する時には、前記Ｌ型ラックを上に移動連動させ、そして前記押し入り板を引き上げることを特徴とする請求項１に記載の絵の具を自動的に絞り出すパレット。
【発明の詳細な説明】
【技術分野】
【０００１】
本発明は文具分野を取り上げて、具体的に絵の具を自動的に絞り出すパレットである。
【背景技術】
【０００２】
伝統的なパレットは使う度に絵の具をパレットに絞り出さなければならない。そのため、絵の具はよく手にこぼし、拭き取ることがやむを得ない。しかし、長期に渡っては、手にある程度のダメージを与えかねる。
【先行技術文献】
【特許文献】
【０００３】
【特許文献１】中国特許出願公開第１０５５６４１３７号明細書
【発明の概要】
【発明が解決しようとする課題】
【０００４】
本発明は絵の具を自動的に絞り出すパレットを提供し、既存技術にある上記の欠点を解消することを目的とする。
【課題を解決するための手段】
【０００５】
本発明の絵の具を自動的に絞り出すパレットは、本体を含み、前記本体の上部には蓋がスライドできるように設置され、前記蓋の下端面には前記本体と滑られるように連結された蓋溝が設置され、前記本体の中には押し入り溝が三つ設置され、すべての前記押し入り溝の上端壁には連通溝が設置され、前記連通溝の上端壁には絵の具溝が設置され、前記絵の具溝と前記押し入り溝との間に絵の具パイプが連結され、前記絵の具溝の下端壁にはばね空間が左右対称に設置され、前記ばね空間の中にはばねスライドブロックが滑られるように連結され、前記ばねスライドブロックと前記ばね空間との間に復位ばねが連結され、前記ばねスライドブロックの上端には圧力板が固定的に設置され、前記絵の具溝の左右端壁にはストッパーが対称的に設置され、前記ストッパーは前記圧力板の位置を制限するために設置され、前記圧力板の下端面には前記連通溝と滑られるように連結された溝付ロッド  が固定的に設置され、前記溝付ロッドの中には空間  が設置され、前記空間の中には突きポールが滑られるように連結され、前記突きポールと前記空間の上端壁との間に強力ばねが連結され、前記強力ばねは前記復位ばねより弾力が強いであり、前記突きポールの下端には前記押し入り溝と滑られるように連結された押し入り板が固定的に設置され、前記押し入り溝の下端壁には加え空間が設置され、前記加え空間の右端壁には止め板スライド溝が設置され、前記止め板スライド溝の右端壁にはプーリ空間が設置され、前記プーリ空間の中には絵の具を加えられる制御装置が設置され、前記プーリ空間の上端壁には連結空間が設置され、前記連結空間の上端壁には駆動空間が設置され、前記駆動空間の上端には係入溝が設置され、前記係入溝と前記駆動空間の間には制御装置の運動を制御できる起動装置が設置され、前記蓋溝の上端壁には溝が三つ設置されておる。
【０００６】
前記制御装置は滑られるように止め板スライド溝の中に連結された止め板を含み、全ての前記プーリ空間の前後端壁にはプーリ軸が左右対称かつ転動できるように連結され、前記プーリ軸の後端にはベルトプーリーが固定的に設置され、対向した前記ベルトプーリーの間にはベルトが連結され、その中の左端の前記プーリ軸の前端には前記止め板と噛み合った第一ギアが固定的に設置され、右端の前記プーリ軸の前端には第二ギアが固定的に設置され、前記第一ギアは前記第二ギアより直径が長いであり、前記連結空間の中には長ラックが滑られるように連結され、前記長ラックの下端は前記第二ギアと噛み合っており、前記長ラックは下へ運動することで前記止め板を右へ引き開け、前記加え空間を開けられる。
【０００７】
前記起動装置は前記係入溝の中に滑られるように装着された押しボタンを含み、前記押しボタンと前記係入溝との間には対称ばねが左右対称に連結され、前記長ラックは前記押しボタンと固定的に連結され、前記駆動空間の前後端壁には横軸が転動できるように連結され、前記横軸の前端には前記長ラックと噛み合った第三ギアが固定的に設置され、前記横軸の後端には第四ギアが固定的に設置され、前記駆動空間の下端壁にはＬ型ラックが滑られるように連結され、前記Ｌ型ラックの下端は前記駆動空間の下端壁を貫き、前記押し入り溝押し入りの中に入り込んており、また前記押し入り溝の上端、右端壁、そして前後端壁と滑られるように連結され、前記押し入り板は前記Ｌ型ラックと滑られるように連結され、前記長ラックが下に移動する時には、前記Ｌ型ラックを上に移動連動させ、そして前記押し入り板を引き上げる。。
【発明の効果】
【０００８】
本発明のメリットは：本装置は絵の具を一度切りに加えるだけで、以降使うたびに絵筆で押せば、絵の具を絞り出せ、毎度絵の具を加えるときに絵の具をこぼし、洗いにくいという状況から免れる。
【図面の簡単な説明】
【０００９】
【図１】図１は本発明の絵の具を自動的に絞り出すパレットの全体断面の正面構成略図
【図２】図２は図１の中のＡの局部拡大図
【図３】図３は図１の中のＢ−Ｂ方向からの断面図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
下記に図１〜３を交えて本発明について詳しく説明します。説明をわかりやすくさせるように、ここで下記の方位に規定します：下記の上下左右前後方向は図１本体の投影関係の上下左右前後方向を一致とする。
【００１２】
図１〜３を参照し、下記の実施例を提示する：絵の具を自動的に絞り出すパレットであり、本体  ２１を含み、前記本体２１の上部には蓋２２がスライドできるように設置され、前記蓋２２の下端面には前記本体２１と滑られるように連結された蓋溝２８が設置され、前記本体２１の中には押し入り溝３０が三つ設置され、すべての前記押し入り溝３０の上端壁には連通溝３２が設置され、前記連通溝３２の上端壁には絵の具溝５９が設置され、前記絵の具溝５９と前記押し入り溝３０との間に絵の具パイプ３６が連結され、前記絵の具溝５９の下端壁にはばね空間３３が左右対称に設置され、前記ばね空間３３の中にはばねスライドブロック３５が滑られるように連結され、前記ばねスライドブロック３５と前記ばね空間３３との間に復位ばね３４が連結され、前記ばねスライドブロック３５の上端には圧力板３８が固定的に設置され、前記絵の具溝５９の左右端壁にはストッパー３７が対称的に設置され、前記ストッパー３７は前記圧力板３８の位置を制限するために設置され、前記圧力板３８の下端面には前記連通溝３２と滑られるように連結された溝付ロッド  ４２が固定的に設置され、前記溝付ロッド４２の中には空間  ３９が設置され、前記空間３９の中には突きポール４１が滑られるように連結され、前記突きポール４１と前記空間３９の上端壁との間に強力ばね４０が連結され、前記強力ばね４０は前記復位ばね３４より弾力が強いであり、前記突きポール４１の下端には前記押し入り溝３０と滑られるように連結された押し入り板３１が固定的に設置され、前記押し入り溝３０の下端壁には加え空間５７が設置され、前記加え空間５７の右端壁には止め板スライド溝５６が設置され、前記止め板スライド溝５６の右端壁にはプーリ空間５４が設置され、前記プーリ空間５４の中には絵の具を加えられる制御装置１０１が設置され、前記プーリ空間５４の上端壁には連結空間４８が設置され、前記連結空間４８の上端壁には駆動空間４４が設置され、前記駆動空間４４の上端には係入溝２７が設置され、前記係入溝２７と前記駆動空間４４の間には制御装置１０１の運動を制御できる起動装置１０２が設置され、前記蓋溝２８の上端壁には溝２３が三つ設置されておる。
【００１３】
前記制御装置１０１は滑られるように止め板スライド溝５６の中に連結された止め板５８を含み、全ての前記プーリ空間５４の前後端壁にはプーリ軸５２が左右対称かつ転動できるように連結され、前記プーリ軸５２の後端にはベルトプーリー５５が固定的に設置され、対向した前記ベルトプーリー５５の間にはベルト５１が連結され、その中の左端の前記プーリ軸５２の前端には前記止め板５８と噛み合った第一ギア５３が固定的に設置され、右端の前記プーリ軸５２の前端には第二ギア５０が固定的に設置され、前記第一ギア５３は前記第二ギア５０より直径が長いであり、前記連結空間４８の中には長ラック４９が滑られるように連結され、前記長ラック４９の下端は前記第二ギア５０と噛み合っており、前記長ラック４９は下へ運動することで前記止め板５８を右へ引き開け、前記加え空間５７を開けられる。
【００１４】
前記起動装置１０２は前記係入溝２７の中に滑られるように装着された押しボタン２４を含み、前記押しボタン２４と前記係入溝２７との間には対称ばね２６が左右対称に連結され、前記長ラック４９は前記押しボタン２４と固定的に連結され、前記駆動空間４４の前後端壁には横軸４６が転動できるように連結され、前記横軸４６の前端には前記長ラック４９と噛み合った第三ギア４７が固定的に設置され、前記横軸４６の後端には第四ギア４５が固定的に設置され、前記駆動空間４４の下端壁にはＬ型ラック４３が滑られるように連結され、前記Ｌ型ラック４３の下端は前記駆動空間４４の下端壁を貫き、前記押し入り溝押し入りの中に入り込んており、また前記押し入り溝３０の上端、右端壁、そして前後端壁と滑られるように連結され、前記押し入り板３１は前記Ｌ型ラック４３と滑られるように連結され、前記長ラック４９が下に移動する時には、前記Ｌ型ラック４３を上に移動連動させ、そして前記押し入り板３１を引き上げる。
【００１５】
使用時には、まず蓋２２を開け、蓋２２と本体２１を分離させ、そして本体２１をひっくり返し、本体２１を係入溝２７に完全に入るように押し入れ  、長ラック４９を下へ移動連動させることで、第三ギア４７、横軸４６及び第四ギア４５を回転連動させ、Ｌ型ラック４３を上に移動させ、押し入り板３１を上に引き上げることで、押し入り板３１を最上端に移動させ、長ラック４９を下へ移動させ、第二ギア５０、プーリ軸５２、ベルトプーリー５５及び第一ギア５３を回転連動させることで、止め板５８を右へ引き開け、加え空間５７を開けられ、そして色違いの絵の具を加え空間５７から異なる押し入り溝３０に加え、さらに本体２１をひっくり返し、そして絵筆で圧力板３８を下へ押し動かすことで、ばねスライドブロック３５と溝付ロッド４２を下へ移動連動させ、さらに突きポール４１と押し入り板３１を下へ移動連動させ、押し入り溝３０の中の絵の具をばねスライドブロック３５から絵の具溝５９の中に押し入れ、強力ばね４０は常に押し入り板３１と押し入り溝３０の中の絵の具を密着させることができ、以降絵の具を使うたびに、押し入り板３８を下に押せばよい。
【００１６】
本発明の有益な効果は：本装置は絵の具を一度切りに加えるだけで、以降使うたびに絵筆で押せば、絵の具を絞り出せ、毎度絵の具を加えるときに絵の具をこぼし、洗いにくいという状況から免れる。
【００１７】
以上に述べたのはただ本発明の具体的な実施方式であって、本発明の保護範囲はここに限らないである。すべての創造的な労働を通じず思いついた変化と取替は本発明の保護範囲にカバーされる。故に本発明の保護範囲は権利要求書が限定される保護範囲を標準とすべきである。
【図１】
2020179928.tif 000003
【図２】
2020179928.tif 000004
【図３】
2020179928.tif 000005
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
絵の具を自動的に絞り出すパレットであって、本体を含み、前記本体の上部には蓋がスライドできるように設置され、前記蓋の下端面には前記本体と滑られるように連結された蓋溝が設置され、前記本体の中には押し入り溝が三つ設置され、すべての前記押し入り溝の上端壁には連通溝が設置され、前記連通溝の上端壁には絵の具溝が設置され、前記絵の具溝と前記押し入り溝との間に絵の具パイプが連結され、前記絵の具溝の下端壁にはばね空間が左右対称に設置され、前記ばね空間の中にはばねスライドブロックが滑られるように連結され、前記ばねスライドブロックと前記ばね空間との間に復位ばねが連結され、前記ばねスライドブロックの上端には圧力板が固定的に設置され、前記絵の具溝の左右端壁にはストッパーが対称的に設置され、前記ストッパーは前記圧力板の位置を制限するために設置され、前記圧力板の下端面には前記連通溝と滑られるように連結された溝付ロッドが固定的に設置され、前記溝付ロッドの中には空間が設置され、前記空間の中には突きポールが滑られるように連結され、前記突きポールと前記空間の上端壁との間に強力ばねが連結され、前記強力ばねは前記復位ばねより弾力が強く、前記突きポールの下端には前記押し入り溝と滑られるように連結された押し入り板が固定的に設置され、前記押し入り溝の下端壁には加え空間が設置され、前記加え空間の右端壁には止め板スライド溝が設置され、前記止め板スライド溝の右端壁にはプーリ空間が設置され、前記プーリ空間の中には絵の具を加えられる制御装置が設置され、前記プーリ空間の上端壁には連結空間が設置され、前記連結空間の上端壁には駆動空間が設置され、前記駆動空間の上端には係入溝が設置され、前記係入溝と前記駆動空間の間には制御装置の運動を制御できる起動装置が設置され、前記蓋溝の上端壁には溝が三つ設置されていることを特徴とする絵の具を自動的に絞り出すパレット。
【請求項２】
前記制御装置は滑られるように止め板スライド溝の中に連結された止め板を含み、全ての前記プーリ空間の前後端壁にはプーリ軸が左右対称かつ転動できるように連結され、前記プーリ軸の後端にはベルトプーリーが固定的に設置され、対向した前記ベルトプーリーの間にはベルトが連結され、その中の左端の前記プーリ軸の前端には前記止め板と噛み合った第一ギアが固定的に設置され、右端の前記プーリ軸の前端には第二ギアが固定的に設置され、前記第一ギアは前記第二ギアより直径が長く、前記連結空間の中には長ラックが滑られるように連結され、前記長ラックの下端は前記第二ギアと噛み合っており、前記長ラックは下へ運動することで前記止め板を右へ引き開け、前記加え空間が開けられることを特徴とする請求項１に記載の絵の具を自動的に絞り出すパレット。
【請求項３】
前記起動装置は前記係入溝の中に滑られるように装着された押しボタンを含み、前記押しボタンと前記係入溝との間には対称ばねが左右対称に連結され、前記長ラックは前記押しボタンと固定的に連結され、前記駆動空間の前後端壁には横軸が転動できるように連結され、前記横軸の前端には前記長ラックと噛み合った第三ギアが固定的に設置され、前記横軸の後端には第四ギアが固定的に設置され、前記駆動空間の下端壁にはＬ型ラックが滑られるように連結され、前記Ｌ型ラックの下端は前記駆動空間の下端壁を貫き、前記押し入り溝の中に入り込んでおり、また前記押し入り溝の上端、右端壁、そして前後端壁と滑られるように連結され、前記押し入り板は前記Ｌ型ラックと滑られるように連結され、前記長ラックが下に移動する時には、前記Ｌ型ラックを上に移動連動させ、そして前記押し入り板を引き上げることを特徴とする請求項２１に記載の絵の具を自動的に絞り出すパレット。
【手続補正２】
【補正対象書類名】明細書
【補正対象項目名】全文
【補正方法】変更
【補正の内容】
【発明の詳細な説明】
【技術分野】
【０００１】
本発明は文具分野を取り上げて、具体的に絵の具を自動的に絞り出すパレットである。
【背景技術】
【０００２】
伝統的なパレットは使う度に絵の具をパレットに絞り出さなければならない。そのため、絵の具はよく手にこぼし、拭き取ることがやむを得ない。しかし、長期に渡っては、手にある程度のダメージを与えかねる。
【先行技術文献】
【特許文献】
【０００３】
【特許文献１】中国特許出願公開第１０５５６４１３７号明細書
【発明の概要】
【発明が解決しようとする課題】
【０００４】
本発明は絵の具を自動的に絞り出すパレットを提供し、既存技術にある上記の欠点を解消することを目的とする。
【課題を解決するための手段】
【０００５】
本発明の絵の具を自動的に絞り出すパレットは、本体を含み、前記本体の上部には蓋がスライドできるように設置され、前記蓋の下端面には前記本体と滑られるように連結された蓋溝が設置され、前記本体の中には押し入り溝が三つ設置され、すべての前記押し入り溝の上端壁には連通溝が設置され、前記連通溝の上端壁には絵の具溝が設置され、前記絵の具溝と前記押し入り溝との間に絵の具パイプが連結され、前記絵の具溝の下端壁にはばね空間が左右対称に設置され、前記ばね空間の中にはばねスライドブロックが滑られるように連結され、前記ばねスライドブロックと前記ばね空間との間に復位ばねが連結され、前記ばねスライドブロックの上端には圧力板が固定的に設置され、前記絵の具溝の左右端壁にはストッパーが対称的に設置され、前記ストッパーは前記圧力板の位置を制限するために設置され、前記圧力板の下端面には前記連通溝と滑られるように連結された溝付ロッドが固定的に設置され、前記溝付ロッドの中には空間 が設置され、前記空間の中には突きポールが滑られるように連結され、前記突きポールと前記空間の上端壁との間に強力ばねが連結され、前記強力ばねは前記復位ばねより弾力が強く、前記突きポールの下端には前記押し入り溝と滑られるように連結された押し入り板が固定的に設置され、前記押し入り溝の下端壁には加え空間が設置され、前記加え空間の右端壁には止め板スライド溝が設置され、前記止め板スライド溝の右端壁にはプーリ空間が設置され、前記プーリ空間の中には絵の具を加えられる制御装置が設置され、前記プーリ空間の上端壁には連結空間が設置され、前記連結空間の上端壁には駆動空間が設置され、前記駆動空間の上端には係入溝が設置され、前記係入溝と前記駆動空間の間には制御装置の運動を制御できる起動装置が設置され、前記蓋溝の上端壁には溝が三つ設置されている。
【０００６】
前記制御装置は滑られるように止め板スライド溝の中に連結された止め板を含み、全ての前記プーリ空間の前後端壁にはプーリ軸が左右対称かつ転動できるように連結され、前記プーリ軸の後端にはベルトプーリーが固定的に設置され、対向した前記ベルトプーリーの間にはベルトが連結され、その中の左端の前記プーリ軸の前端には前記止め板と噛み合った第一ギアが固定的に設置され、右端の前記プーリ軸の前端には第二ギアが固定的に設置され、前記第一ギアは前記第二ギアより直径が長く、前記連結空間の中には長ラックが滑られるように連結され、前記長ラックの下端は前記第二ギアと噛み合っており、前記長ラックは下へ運動することで前記止め板を右へ引き開け、前記加え空間が開けられる。
【０００７】
前記起動装置は前記係入溝の中に滑られるように装着された押しボタンを含み、前記押しボタンと前記係入溝との間には対称ばねが左右対称に連結され、前記長ラックは前記押しボタンと固定的に連結され、前記駆動空間の前後端壁には横軸が転動できるように連結され、前記横軸の前端には前記長ラックと噛み合った第三ギアが固定的に設置され、前記横軸の後端には第四ギアが固定的に設置され、前記駆動空間の下端壁にはＬ型ラックが滑られるように連結され、前記Ｌ型ラックの下端は前記駆動空間の下端壁を貫き、前記押し入り溝の中に入り込んでおり、また前記押し入り溝の上端、右端壁、そして前後端壁と滑られるように連結され、前記押し入り板は前記Ｌ型ラックと滑られるように連結され、前記長ラックが下に移動する時には、前記Ｌ型ラックを上に移動連動させ、そして前記押し入り板を引き上げる。
【発明の効果】
【０００８】
本発明のメリットは：本装置は絵の具を一度加えるだけで、以降使うたびに絵筆で押せば、絵の具を絞り出せ、毎度絵の具を加えるときに絵の具をこぼし、洗いにくいという状況から免れる。
【図面の簡単な説明】
【０００９】
【図１】図１は本発明の絵の具を自動的に絞り出すパレットの全体断面の正面構成略図
【図２】図２は図１の中のＡの局部拡大図
【図３】図３は図１の中のＢ−Ｂ方向からの断面図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
下記に図１〜３を交えて本発明について詳しく説明します。説明をわかりやすくさせるように、ここで下記の方位に規定します：下記の上下左右前後方向は図１本体の投影関係の上下左右前後方向を一致とする。
【００１２】
図１〜３を参照し、下記の実施例を提示する：絵の具を自動的に絞り出すパレットであり、本体２１を含み、前記本体２１の上部には蓋２２がスライドできるように設置され、前記蓋２２の下端面には前記本体２１と滑られるように連結された蓋溝２８が設置され、前記本体２１の中には押し入り溝３０が三つ設置され、すべての前記押し入り溝３０の上端壁には連通溝３２が設置され、前記連通溝３２の上端壁には絵の具溝５９が設置され、前記絵の具溝５９と前記押し入り溝３０との間に絵の具パイプ３６が連結され、前記絵の具溝５９の下端壁にはばね空間３３が左右対称に設置され、前記ばね空間３３の中にはばねスライドブロック３５が滑られるように連結され、前記ばねスライドブロック３５と前記ばね空間３３との間に復位ばね３４が連結され、前記ばねスライドブロック３５の上端には圧力板３８が固定的に設置され、前記絵の具溝５９の左右端壁にはストッパー３７が対称的に設置され、前記ストッパー３７は前記圧力板３８の位置を制限するために設置され、前記圧力板３８の下端面には前記連通溝３２と滑られるように連結された溝付ロッド４２が固定的に設置され、前記溝付ロッド４２の中には空間３９が設置され、前記空間３９の中には突きポール４１が滑られるように連結され、前記突きポール４１と前記空間３９の上端壁との間に強力ばね４０が連結され、前記強力ばね４０は前記復位ばね３４より弾力が強く、前記突きポール４１の下端には前記押し入り溝３０と滑られるように連結された押し入り板３１が固定的に設置され、前記押し入り溝３０の下端壁には加え空間５７が設置され、前記加え空間５７の右端壁には止め板スライド溝５６が設置され、前記止め板スライド溝５６の右端壁にはプーリ空間５４が設置され、前記プーリ空間５４の中には絵の具を加えられる制御装置１０１が設置され、前記プーリ空間５４の上端壁には連結空間４８が設置され、前記連結空間４８の上端壁には駆動空間４４が設置され、前記駆動空間４４の上端には係入溝２７が設置され、前記係入溝２７と前記駆動空間４４の間には制御装置１０１の運動を制御できる起動装置１０２が設置され、前記蓋溝２８の上端壁には溝２３が三つ設置されている。
【００１３】
前記制御装置１０１は滑られるように止め板スライド溝５６の中に連結された止め板５８を含み、全ての前記プーリ空間５４の前後端壁にはプーリ軸５２が左右対称かつ転動できるように連結され、前記プーリ軸５２の後端にはベルトプーリー５５が固定的に設置され、対向した前記ベルトプーリー５５の間にはベルト５１が連結され、その中の左端の前記プーリ軸５２の前端には前記止め板５８と噛み合った第一ギア５３が固定的に設置され、右端の前記プーリ軸５２の前端には第二ギア５０が固定的に設置され、前記第一ギア５３は前記第二ギア５０より直径が長く、前記連結空間４８の中には長ラック４９が滑られるように連結され、前記長ラック４９の下端は前記第二ギア５０と噛み合っており、前記長ラック４９は下へ運動することで前記止め板５８を右へ引き開け、前記加え空間５７が開けられる。
【００１４】
前記起動装置１０２は前記係入溝２７の中に滑られるように装着された押しボタン２４を含み、前記押しボタン２４と前記係入溝２７との間には対称ばね２６が左右対称に連結され、前記長ラック４９は前記押しボタン２４と固定的に連結され、前記駆動空間４４の前後端壁には横軸４６が転動できるように連結され、前記横軸４６の前端には前記長ラック４９と噛み合った第三ギア４７が固定的に設置され、前記横軸４６の後端には第四ギア４５が固定的に設置され、前記駆動空間４４の下端壁にはＬ型ラック４３が滑られるように連結され、前記Ｌ型ラック４３の下端は前記駆動空間４４の下端壁を貫き、前記押し入り溝の中に入り込んでおり、また前記押し入り溝３０の上端、右端壁、そして前後端壁と滑られるように連結され、前記押し入り板３１は前記Ｌ型ラック４３と滑られるように連結され、前記長ラック４９が下に移動する時には、前記Ｌ型ラック４３を上に移動連動させ、そして前記押し入り板３１を引き上げる。
【００１５】
使用時には、まず蓋２２を開け、蓋２２と本体２１を分離させ、そして本体２１をひっくり返し、押しボタン２４を係入溝２７に完全に入るように押し入れ、長ラック４９を下へ移動連動させることで、第三ギア４７、横軸４６及び第四ギア４５を回転連動させ、Ｌ型ラック４３を上に移動させ、押し入り板３１を上に引き上げることで、押し入り板３１を最上端に移動させるとともに、長ラック４９を下へ移動連動させることで、第二ギア５０、プーリ軸５２、ベルトプーリー５５及び第一ギア５３を回転連動させることで、止め板５８を右へ引き開け、加え空間５７が開けられ、そして色違いの絵の具をそれぞれの加え空間５７からそれぞれの押し入り溝３０に加え、さらに本体２１をひっくり返し、そして絵筆で圧力板３８を下へ押し動かすことで、ばねスライドブロック３５と溝付ロッド４２を下へ移動連動させ、さらに突きポール４１と押し入り板３１を下へ移動連動させ、押し入り溝３０の中の絵の具をばねスライドブロック３５のスライドに伴って絵の具パイプ３６を介してから絵の具溝５９の中に押し入れ、強力ばね４０は常に押し入り板３１と押し入り溝３０の中の絵の具を密着させることができ、以降絵の具を使うたびに、押し入り板３８を下に押せばよい。
【００１６】
本発明の有益な効果は：本装置は絵の具を一度加えるだけで、以降使うたびに絵筆で押せば、絵の具を絞り出せ、毎度絵の具を加えるときに絵の具をこぼし、洗いにくいという状況から免れる。
【００１７】
以上に述べたのはただ本発明の具体的な実施方式であって、本発明の保護範囲はここに限らないである。すべての創造的な労働を通じず思いついた変化と取替は本発明の保護範囲にカバーされる。故に本発明の保護範囲は権利要求書が限定される保護範囲を標準とすべきである。
【手続補正書】
【提出日】令和1年8月15日(2019.8.15)
【手続補正１】
【補正対象書類名】特許請求の範囲
【補正対象項目名】請求項３
【補正方法】変更
【補正の内容】
【請求項３】
前記起動装置は前記係入溝の中に滑られるように装着された押しボタンを含み、前記押しボタンと前記係入溝との間には対称ばねが左右対称に連結され、前記長ラックは前記押しボタンと固定的に連結され、前記駆動空間の前後端壁には横軸が転動できるように連結され、前記横軸の前端には前記長ラックと噛み合った第三ギアが固定的に設置され、前記横軸の後端には第四ギアが固定的に設置され、前記駆動空間の下端壁にはＬ型ラックが滑られるように連結され、前記Ｌ型ラックの下端は前記駆動空間の下端壁を貫き、前記押し入り溝の中に入り込んでおり、また前記押し入り溝の上端、右端壁、そして前後端壁と滑られるように連結され、前記押し入り板は前記Ｌ型ラックと滑られるように連結され、前記長ラックが下に移動する時には、前記Ｌ型ラックを上に移動連動させ、そして前記押し入り板を引き上げることを特徴とする請求項２に記載の絵の具を自動的に絞り出すパレット。